(57)【要約】【課題】サーバが携帯端末装置にアトラクションの経路誘導と予約特権情報の送信を行なうシステムにおいて、携帯端末装置間で予約特権情報を交換することはできなかった。【解決手段】一の携帯端末装置４ａで、入手済の予約特権情報を交換を希望する旨の入力があったとき、入手済の予約特権情報を交換希望情報として一の携帯端末装置４ａに記憶し、一の携帯端末装置４ａがアトラクションの待ち行列に並んだときに、他の携帯端末装置４ｂ、４ｃに対して交換希望情報を自動的かつ一斉に無線送信し、他の携帯端末装置４ｃが受信した交換希望情報と、他の携帯端末装置に予め登録しておいた予約変更希望情報を対比して、他の携帯端末装置が交換すると判断したとき、一の携帯端末装置４ａで交換する旨の入力があると、一の携帯端末装置４ａと他の携帯端末装置４ｃとの間で交換を成立させる処理を行い、交換成立情報をサーバ１に送信する。【選択図】図６
2009146105.tif 000002
【特許請求の範囲】
【請求項１】
予約特権情報を登録したデータ蓄積部と、サーバ制御部と、サーバ用ネットワーク接続手段を有し、前記予約特権情報の提供と登録管理を行なうサーバと、
予約交換処理手段と、データ入力部と、端末制御部と、近距離無線通信を行なうための端末用ネットワーク接続手段を有する複数の無線機能付き携帯端末装置と、
前記複数の無線機能付き携帯端末装置と通信する近距離無線通信手段を有し、所定の近距離無線通信領域内に入った無線機能付き携帯端末装置にＥＳＳＩＤ（Ｅｘｔｅｎｄｅｄ  Ｓｅｒｖｉｃｅ  Ｓｅｔ  ＩＤｅｎｔｉｆｉｃａｔｉｏｎ）を送信するとともに、前記サーバのサーバ用ネットワーク接続手段に接続され、前記複数の無線機能付き携帯端末装置とサーバとの通信を仲介するアクセスポイントとから構成され、
前記複数の無線機能付き携帯端末装置が前記アクセスポイントを介して前記サーバから予約特権情報の提供を受けた後、前記データ入力部から交換希望情報が入力されたときに、
前記複数の無線機能付き携帯端末装置の内、同じＥＳＳＩＤを受信している無線機能付き携帯端末装置であって前記交換希望情報が合致した場合には、前記予約特権情報を近距離無線通信によって交換し、
前記予約特権情報を交換した無線機能付き携帯端末装置が交換結果情報を、前記アクセスポイントを介して、前記サーバに送信し、前記サーバの前記サーバ制御部が前記データ蓄積部の登録内容を更新するように構成した無線機能付き携帯端末システム。
【請求項２】
前記データ入力部から交換希望情報を入力した無線機能付き携帯端末装置は、交換を希望する無線機能付き携帯端末装置であるとして扱い、前記データ入力部から交換希望情報を入力しなかった無線機能付き携帯端末装置は、交換を希望しない無線機能付き携帯端末装置であるとして扱うよう構成した請求項１に記載の無線機能付き携帯端末システム。
【請求項３】
前記無線機能付き携帯端末装置には、更にデータ出力部を備え、前記データ入力部で入力した交換希望情報を出力するとともに、他の無線機能付き携帯端末装置から受信した交換希望情報を出力するよう構成した請求項２に記載の無線機能付き携帯端末装置システムに用いる無線機能付き携帯端末装置。
【請求項４】
前記無線機能付き携帯端末装置のデータ出力部に他の無線機能付き携帯端末装置から受信した交換希望情報を出力した後に、前記データ入力部から交換の可否を入力するように構成した請求項３に記載の無線機能付き携帯端末装置。
【請求項５】
センタ側のサーバが無線機能付き携帯端末装置に対して、アトラクションの経路誘導と、予約特権情報の送信を行なう無線機能付き携帯端末システムにおいて、
（１）第一の無線機能付き携帯端末装置で、入手済の予約特権情報について交換を希望する旨の入力があったとき、入手済の前記予約特権情報を交換希望情報として前記第一の無線機能付き携帯端末装置に記憶するステップと、
（２）前記第一の無線機能付き携帯端末装置がアトラクションの待ち行列に並んだときに、前記アトラクションの待ち行列にいる他の無線機能付き携帯端末装置に対して、前記交換希望情報を自動的かつ一斉に無線送信するステップと、
（３）前記他の無線機能付き携帯端末装置が受信した前記交換希望情報と、前記他の無線機能付き携帯端末装置に予め登録しておいた交換希望情報を対比して、前記他の無線機能付き携帯端末装置が交換するか否かを判断するステップと、
（４）前記他の無線機能付き携帯端末装置が交換すると判断した場合に、前記交換希望情報を無線送信した前記第一の無線機能付き携帯端末装置に通知するステップと、
（５）前記第一の無線機能付き携帯端末装置で、前記他の無線機能付き携帯端末装置から交換する旨の返信を受信した場合、交換するかどうかの最終判断を提示するステップと、
（６）前記第一の無線機能付き携帯端末装置で、交換する旨の入力があると、前記第一の無線機能付き携帯端末装置と前記他の無線機能付き携帯端末装置との間で前記予約特権情報の交換を成立させる処理を行い、交換が成立したという交換成立情報を前記サーバに送信するステップと、
（７）前記サーバは前記交換成立情報をもとに該当するアトラクションの予約特権情報と前記無線機能付き携帯端末装置との関係を変更するステップ
とを実行することとした無線機能付き携帯端末システム。
【発明の詳細な説明】
【技術分野】
【０００１】
本発明はテーマパーク等の大規模な遊園地等で用いる無線機能付き携帯端末システムおよび無線機能付き携帯端末装置に関する。特に、ほぼ待ち時間なくアトラクションを楽しむために一の携帯端末装置が取得したフアストパスと言われるような予約特権情報を、他の携帯端末装置が取得した予約特権情報と交換できるようにした無線機能付き携帯端末システムおよび無線機能付き携帯端末装置に関する。
【背景技術】
【０００２】
テーマパークといわれるような大規模な遊園地等では、園内の人気アトラクションに常に長い待ち行列が発生する。そこで混雑防止対策の一つとして、ファストパスと称して所定時間に来れば優先的に入場できる予約特権を予め与える、いわゆるファストパスシステムを採用しているところがある。
【０００３】
ファストパスシステムを利用する入園者は、予め多数のアトラクションの中から入場したいアトラクションを選択し、選択した複数のアトラクションに入場する順番をつけ、一日のスケジュールを考慮して、アトラクションごとにどの時間帯のファストパスを入手するかを決めておく。そして開園と同時に目的とするアトラクションのファストパス発行所に行って、ファストパスを獲得する。ファストパスを獲得した入園者は、ゆったりと効率よく人気アトラクションに入場することができる。
【０００４】
しかし、せっかくファストパスを獲得したものの、所定時間までに目的のアトラクション入り口に着かないことがある。このような場合、ファストパスを獲得した努力が無意味になってしまう。
【０００５】
そこで従来、ナビゲーションシステム技術の一つとして、入場を希望するアトラクション施設、終了時間、をユーザに入力させて、混雑状況に合わせた経路を決定し、アトラクション施設案内を行う携帯端末システムが知られている（例えば、特許文献１参照）。
【０００６】
図１０に従来のナビゲーションシステムのシステム図を示す。従来のナビゲーションシステムでは、遊園地のセンタ装置６０がネットワーク接続部６１でネットワーク６２につながっており、ネットワーク６２を経由して、各アトラクションのファストパス管理装置であるアトラクションＡ部６３ａ、アトラクションＢ部６３ｂ、アトラクションＣ部６３ｃ、アトラクションＤ部６３ｄとつながり、フアストパス情報を共有するようにしている。
【０００７】
センタ装置６０は各アトラクションの利用時間を設定して管理する利用時間設定部６４と天候センサ６５を持っている。センタ装置６０のデータ蓄積部６７には、天候に応じた各アトラクションの混雑傾向や、人の平均移動時間などのデータを蓄積するほか、その日の各アトラクションのフアストパス情報を蓄積する。なお、６６はセンタ装置を制御するセンタ装置制御部であり、６８は経路探索部、６９はセンタ側送受信部である。
【０００８】
利用者端末７０は、利用者が遊園地入口で購入した利用者ＩＤカードの利用者情報を、カードインターフェイス７１から読み込む。また、データ入力部７２に、入場を希望するアトラクション名、見たい順番、終了時間、を入力すると、利用者端末制御部７３が位置データ算出部７５を起動して、ＧＰＳ衛星８０から位置情報を得て現在位置を算出する。そして、利用者ＩＤ情報と現在位置、見たいアトラクション名、見たい順番、終了時間を端末側送受信部７６からセンタ装置６０のセンタ側送受信部６９に送信する。
【０００９】
センタ装置６０は、天候センサ６５からの気象情報を得、データ蓄積部６７から混雑状況を読み出し、経路検索部６８で、効率的かつゆとりのある経路案内情報と、その効率的かつゆとりのある経路案内順に見るために必要なフアストパス情報を提示する。
【００１０】
利用者端末７０で、データ入力部７２から経路案内を了承するとともにフアストパスを入手したい旨の入力がされると、センタ装置６０は、各アトラクションのファストパス管理装置であるアトラクションＡ部６３ａ、アトラクションＢ部６３ｂ、アトラクションＣ部６３ｃ、アトラクションＤ部６３ｄの中の該当するファストパス管理装置にフアストパス予約情報を送信する。各アトラクションのファストパス管理装置は、送信されてきたフアストパス予約情報を記憶して、ファストパスによる入場管理に用いる。
【００１１】
しかし、上記従来のナビゲーションシステムでは、混雑状況情報、気象情報、そしてフアストパス予約情報等を基に推奨経路データを算出している。そのため、希望アトラクションがすでに予約いっぱいの場合は、キャンセルされない限り予約することができない。その結果、希望アトラクションが推奨経路から外されてしまう。これでは、推奨経路データを入手した途端、その日の経路は、希望アトラクションが体験できないという内容で決まってしまう。
【００１２】
また、運よく予約特権情報を入手できたアトラクションについても、簡単に予約変更ができず、所定時刻にそのアトラクションの場所に着かなければ、みすみす予約特権情報を捨ててしまうことになる。
【００１３】
もし、予約特権情報を入手した後に、入手できていない他の希望アトラクションの予約特権情報と交換できるシステムがあれば便利である。かといって、遊園地のセンタ側のサーバが予約特権情報の交換仲介サービスをするとしても、数千人から数万人規模の入場者のある遊園地などではシステムが複雑となり、とても対応しきれるものではない。
【特許文献１】特開２００３−３１５４３５号公報
【発明の開示】
【発明が解決しようとする課題】
【００１４】
本発明は、従来、遊園地が携帯端末システムとして提供できなかった予約特権情報の交換サービス機能について、園内の他の携帯端末に対して入手していない予約特権情報と既に入手済の予約特権情報とを相手の顔を見ることなく交換できる無線機能付き携帯端末システム、および無線機能付き携帯端末装置を実現することを課題としている。
【課題を解決するための手段】
【００１５】
本発明は、予約特権情報を登録したデータ蓄積部とサーバ制御部とサーバ用ネットワーク接続手段を有し予約特権情報の提供と登録管理を行なうサーバと、予約交換処理手段とデータ入力部と端末制御部と近距離無線通信を行なうための端末用ネットワーク接続手段を有する複数の無線機能付き携帯端末装置と、複数の無線機能付き携帯端末装置と通信する近距離無線通信手段を有し所定の近距離無線通信領域内に入った無線機能付き携帯端末装置にＥＳＳＩＤ（Ｅｘｔｅｎｄｅｄ  Ｓｅｒｖｉｃｅ  Ｓｅｔ  ＩＤｅｎｔｉｆｉｃａｔｉｏｎ）を送信するとともに、サーバのサーバ用ネットワーク接続手段に接続され、複数の無線機能付き携帯端末装置とサーバとの通信を仲介するアクセスポイントとからなり、複数の無線機能付き携帯端末装置がアクセスポイントを介してサーバから予約特権情報の提供を受けた後、データ入力部から交換希望情報が入力されたときに、複数の無線機能付き携帯端末装置の内、同じＥＳＳＩＤを受信している無線機能付き携帯端末装置であって交換希望情報が合致した場合には、予約特権情報を近距離無線通信によって交換し、予約特権情報を交換した無線機能付き携帯端末装置が交換結果情報を、アクセスポイントを介してサーバに送信し、サーバのサーバ制御部がデータ蓄積部の登録内容を更新するように構成している。
【００１６】
この構成により、同じＥＳＳＩＤを受信している限られた無線機能付き携帯端末装置を対象として予約特権情報の交換希望情報を照合するので、迅速に予約特権情報を交換することができる。また、複数の無線機能付き携帯端末装置の間で予約特権情報の交換処理が行なわれ、交換結果情報だけがサーバに送信されるので、サーバ側の負担が少なくてすむという効果がある。
【００１７】
本発明は、センタ側のサーバが無線機能付き携帯端末装置に対してアトラクションの経路誘導と予約特権情報の送信を行なう無線機能付き携帯端末システムにおいて、以下の７つのステップを実行することにより課題を解決している。
【００１８】
すなわち、第一ステップとして、第一の無線機能付き携帯端末装置で、入手済の予約特権情報について交換を希望する旨の入力があったとき、入手済の予約特権情報を交換希望情報として第一の無線機能付き携帯端末装置に記憶するステップと、
第二のステップとして、第一の無線機能付き携帯端末装置がアトラクションの待ち行列に並んだときに、アトラクションの待ち行列にいる他の無線機能付き携帯端末装置に対して、交換希望情報を自動的かつ一斉に無線送信するステップと、
第三のステップとして、他の無線機能付き携帯端末装置が受信した交換希望情報と、他の無線機能付き携帯端末装置に予め登録しておいた交換希望情報を対比して、他の無線機能付き携帯端末装置が交換するか否かを判断するステップと、
第四のステップとして、他の無線機能付き携帯端末装置が交換すると判断した場合に、交換希望情報を無線送信した第一の無線機能付き携帯端末装置に通知するステップと、
第五のステップとして、第一の無線機能付き携帯端末装置で、他の無線機能付き携帯端末装置から交換する旨の返信を受信した場合、交換するかどうかの最終判断を提示するステップと、
第六のステップとして、第一の無線機能付き携帯端末装置で、交換する旨の入力があると、第一の無線機能付き携帯端末装置と他の無線機能付き携帯端末装置との間で予約特権情報の交換を成立させる処理を行い、交換が成立したという交換成立情報をサーバに送信するステップと、
第七のステップとして、サーバは交換成立情報をもとに該当するアトラクションの予約特権情報と無線機能付き携帯端末装置との関係を変更するステップを実行している。
【００１９】
以上のステップを実行することにより、ナビシステムを利用している無線機能付き携帯端末装置がいるアトラクションの待ち行列内という狭い範囲内の他の無線機能付き携帯端末装置と予約特権情報を交換することができ、交換が成立したという交換成立情報をセンタ側のサーバに送信して、センタ側のサーバに該当するアトラクションの予約特権情報を変更させることができる。
【発明の効果】
【００２０】
本発明によれば、予約がいっぱいのアトラクションの予約特権情報でも、無線機能付き携帯端末装置から予約特権情報を交換したいという交換希望情報を送信すれば、その無線機能付き携帯端末装置が属している待ち行列内にいる他の無線機能付き携帯端末装置と予約特権情報を無線で交換することができる。そして、他の無線機能付き携帯端末装置が入手した予約特権情報を自分の予約特権情報に交換したという交換成立情報をセンタ装置に通知して、お互いの顔を見ずに予約特権情報の交換作業を完了することができる。
【００２１】
本発明では、一つのアトラクションの待ち行列内にいる無線機能付き携帯端末装置同士という狭い範囲内で予約特権情報を交換するため、交換希望情報を照合する無線機能付き携帯端末装置の数が膨大にならず、結果が早く得られるという効果がある。
【００２２】
また同じアトラクションに並んでいるという共通した境遇にいる利用者の無線機能付き携帯端末装置間のやりとりであるため、それぞれの推奨経路データが類似している可能性が高く、予約特権情報を交換できるチャンスが大いに期待できるという効果がある。
【００２３】
更に、交換に関する嗜好情報、つまり交換を希望するという交換希望情報に基づいて予約特権情報が交換されるため、希望に沿った条件および希望内容の予約特権情報の交換ができる。
【００２４】
また、センタ側のサーバは、予約特権情報の交換の仲介作業をすることなく、交換成立情報のみを得てアトラクションの予約特権情報を変更するだけですむ。そのため、センタ側のサーバの作業量が膨大にならず、システムが安定する効果もある。
【発明を実施するための最良の形態】
【００２５】
以下、本発明を実施するための最良の形態について、大規模遊園地内で用いられる無線機能付き携帯端末システム、および無線機能付き携帯端末装置を例として、図面とともに説明する。
【００２６】
（実施の形態１）
図１に、本発明の実施の形態１に係る無線機能付き携帯端末システムである大規模遊園地内のナビゲーションシステムのシステム図を示す。大規模遊園地内には、サーバ１とサーバ１と有線２で接続している複数のアクセスポイント３がある。なお、説明を簡単にするため、図１ではアクセスポイント３を一つだけ示し、他のアクセスポイントは省略している。アクセスポイント３は、所定の範囲内で無線機能付き携帯端末装置４ａ、４ｂ、４ｃ等とブルートゥース（登録商標）や赤外線通信などの近距離無線通信を行なう近距離無線通信領域５を持っている。なお、図１では無線機能付き携帯端末装置４ａ、４ｂをブロック図で示し、無線機能付き携帯端末装置４ｃを外観図で示している。
【００２７】
近距離無線通信領域５内に無線機能付き携帯端末装置４ａ、４ｂ、４ｃが入ると、アクセスポイント３が、無線機能付き携帯端末装置４ａ、４ｂ、４ｃに対して近距離無線通信領域５内に帰属したことを示すＥＳＳＩＤ、すなわち、無線ＬＡＮで、個々のネットワークの識別に使うＩＤ信号を太い折れ線６のように送信する。ＥＳＳＩＤを受信した無線機能付き携帯端末装置４ａ、４ｂ、４ｃは、ＥＳＳＩＤをお互いの認証信号として利用する。ＥＳＳＩＤを受信した無線機能付き携帯端末装置は、直接相互間で細い折れ線７のように、近距離無線通信を行なうことができる。
【００２８】
サーバ１は、天候センサ部１１、データ蓄積部１２、利用時間推定部１３、経路検索部１４とサーバ制御部１５、そしてサーバ用ネットワーク接続部１６を持っている。天候センサ部１１は遊園地内に配置した複数の気象センサから気象情報を収集するとともに、天候の変化を予測する。データ蓄積部１２は、遊園地内の各アトラクションの開始時間、終了時間などの基本的な情報とともに、フアストパス予約情報などのその他の管理情報を蓄積する。また、図示しないネットワークを経由して、各アトラクションの刻々と変化する混雑情報、例えば「何分待ち。」という情報を入手して、データ蓄積部１２の情報を随時更新するようにしている。
【００２９】
利用時間推定部１３は、各アトラクションの入口付近で並び始めてから出口を出るまでの所要時間を推定する。経路検索部１４は、各無線機能付き携帯端末装置から送信されてきた検索条件に基づいて、どのような経路で遊園地内の各アトラクションを巡回すれば最も効率的かを検索して検索結果を出力する。サーバ制御部１５は無線機能付き携帯端末装置４ａ等から要求が有り、かつ、予約定員に余裕があれば、そのアトラクションのファストパス情報、つまり予約特権情報を経路検索結果とともに無線機能付き携帯端末装置４ａ等に送信する。無線機能付き携帯端末装置４ａ等は、経路検索結果とファストパス情報、つまり予約特権情報を受信して、図示しない内部メモリに記憶する。
【００３０】
無線機能付き携帯端末装置４ａ等は、端末用ネットワーク接続部２１、端末制御部２２、データ入力部２３、データ出力部２４と予約交換処理部２５を持っている。端末用ネットワーク接続部２１はアクセスポイント３と近距離無線通信で接続する機能と、同じアクセスポイント３の近距離無線通信領域５内にある他の無線機能付き携帯端末装置と近距離無線通信で接続する機能を果たす。端末制御部２２はデータ入力部２３から入力された検索条件などの入力データを端末用ネットワーク接続部２１からアクセスポイント３を経由して、サーバ１に送信する制御を行なう。また、サーバ１から送信されてきた経路検索結果やファストパス情報、つまり予約特権情報を受信して、データ出力部２４に出力する。
【００３１】
予約交換処理部２５は、データ入力部２３から入力された交換希望情報を蓄積する。そして、無線機能付き携帯端末装置がアクセスポイント３の近距離無線通信領域５内に入って、アクセスポイント３からＥＳＳＩＤを受信すると、アクセスポイント３の近距離無線通信領域５内にいる他の無線機能付き携帯端末装置に対して、交換希望情報を送信する。
【００３２】
他の無線機能付き携帯端末装置は、交換希望情報を受信すると、自らの予約交換処理部２５が予約特権情報の交換の可否を判定する。予約特権情報の交換が可能であれば、交換希望情報を送信してきた無線機能付き携帯端末装置にその旨を通知する。交換希望情報を送信した無線機能付き携帯端末装置では、交換することについて最終判断することをデータ出力部２４に提示し、データ入力部２３から交換するとの入力があると予約特権情報を交換する。交換した後、予約特権情報を交換したという交換成立情報を無線機能付き携帯端末装置に通知する。また、交換成立情報をアクセスポイント３経由で、サーバ１に送信する。サーバ１では、交換成立情報に基づき、ファストパス情報、つまり予約特権情報の管理情報を書き換える。このことにより、予約特権情報と予約特権情報を与えている無線機能付き携帯端末装置との組合せが交換後の新しい内容に書き換わる。
【００３３】
一つの無線機能付き携帯端末装置４ａがサーバ１からフアストパス情報、つまり予約特権情報を獲得する手順を説明する。一つの無線機能付き携帯端末装置４ａがアクセスポイント３の近距離無線通信領域５に入ると、アクセスポイント３は無線機能付き携帯端末装置４ａに近距離無線通信領域５に入ったことを知らせるＥＳＳＩＤを送信する。無線機能付き携帯端末装置４ａはＥＳＳＩＤを受信する。この状態で、無線機能付き携帯端末装置４ａのデータ入力部２３から、入場したいアトラクション名と入場したい順番と終了時間などの検索条件を入力すると、無線機能付き携帯端末装置４ａは利用者ＩＤ情報と受信したＥＳＳＩＤをアクセスポイント３経由でサーバ１に送信する。
【００３４】
サーバ１は、検索条件と天候、混雑状況などをもとに効率的かつ快適に遊園地内を巡回できる経路探索を行い、検索結果と与えることができるアトラクションのフアストパス情報、つまり予約特権情報を無線機能付き携帯端末装置４ａに送信する。無線機能付き携帯端末装置４ａは、検索結果とアトラクションの予約特権情報を予約交換処理部２５に登録する。
【００３５】
次に、図２から図５を用いて、一つの無線機能付き携帯端末装置４ａがサーバ１から獲得したフアストパス情報、つまり予約特権情報を他の無線機能付き携帯端末装置４ｂ、４ｃ、４ｄ、４ｅに対して交換希望情報として送信し、交換するときの動作を模式的に説明する。
【００３６】
無線機能付き携帯端末装置４ａのデータ入力部２３で、交換希望情報を図２のような内容で入力する。予約交換処理部２５には交換希望情報が記録される。この交換希望情報は、一つだけであっても、複数であってもよい。図２では、２つの異なる時間帯について、それぞれの交換希望情報を入力して記憶させている。図２の交換希望情報（１）は、９時５０分に入場するアトラクション「バイキング」のフアストパスを、同じく９時５０分から１１時までに入場する「観覧車」、「フリーホール」、「お化け屋敷」のどれかと交換希望であるという内容である。図２のように希望交換時間、アトラクション名を入力し登録する。交換希望情報（２）は、１４時に入場するアトラクション「ゴーカート」のフアストパスを、同じく１４時から１４時３０分までに入場するアトラクション「射的」、「バイキング」、「コースター」のどれかと交換希望であるという内容である。
【００３７】
このように、交換を希望するフアストパスの時間、アトラクション名を入力して登録ボタンを押して登録する。すると、図３のように、アクセスポイント３の近距離無線通信領域５の中にいる他の無線機能付き携帯端末装置４ｂ、４ｃ、４ｄ、４ｅに対して、帰属するＥＳＳＩＤにより、アクセスポイント３の近距離無線通信領域５の中の待ち行列に並んだ無線機能付き携帯端末装置であることを確認できた無線機能付き携帯端末装置に対して交換希望情報を同時または順次に一斉に送信する。
【００３８】
交換希望情報を受信した他の無線機能付き携帯端末装置４ｂ、４ｃ、４ｄ、４ｅは、自端末に登録してある交換希望情報の内容と照合し、交換可能であれば、例えば図４の無線機能付き携帯端末装置４ｂのように、交換希望情報を無線機能付き携帯端末装置４ａに自動的に送信する。
【００３９】
なお、他の無線機能付き携帯端末装置４ｂ、４ｃ、４ｄ、４ｅでは、受信した交換希望情報を一旦、データ出力部に出力し、データ入力部に「交換する」と入力されたことを待って交換希望情報を無線機能付き携帯端末装置４ａに送信するようにしてもよい。
【００４０】
図５に示すように、他の無線機能付き携帯端末装置４ｂ、４ｃ、４ｄ、４ｅから交換希望情報の返信を受けた無線機能付き携帯端末装置４ａでは、他の無線機能付き携帯端末装置４ｂ等から受信した交換希望情報を一旦、データ出力部に出力し、データ入力部に「交換する」という最終確認の入力があると予約特権情報の交換が行なわれる。そして、交換に応じた無線機能付き携帯端末装置４ｂに交換が成立したことが通知される。また、無線機能付き携帯端末装置４ａから交換が成立したアトラクションのフアストパス情報が交換成立情報としてサーバ１に通知される。サーバ１では、交換が成立したアトラクションのフアストパス情報と対応する無線機能付き携帯端末装置の利用者ＩＤを書き換える。
【００４１】
以上の動作手順を踏むことにより、サーバ１から入手したフアストパス情報、つまり予約特権情報を、一つのアクセスポイント３の近距離無線通信領域５にいた他の無線機能付き携帯端末装置の予約特権情報と、相手の顔を見ずに交換することができる。一つのアクセスポイント３の近距離無線通信領域５にいる無線機能付き携帯端末装置の持ち主が巡回する予定のアトラクションはお互いに似ていることが多いので、遊園地内にいる全ての無線機能付き携帯端末装置に対して交換を呼びかけるよりも、交換が成立する可能性が高く見込めるというメリットがある。また、一つのアトラクションの前に並び、そのアクセスポイントの近距離無線通信領域５の待ち行列に並んでいる数十分の待ち時間に、交換ができるので、待ち時間を有効に使えるというメリットもある。
【００４２】
図６に、複数の無線機能付き携帯端末装置４ａ、４ｂ、４ｃとサーバ１の通信プロトコルの内容を示す。図６では、予約特権情報の交換を希望している無線機能付き携帯端末装置を「自端末」と表示し、予約特権情報の交換を持ちかけられる無線機能付き携帯端末装置を「他端末」と表示して説明する。
【００４３】
無線機能付き携帯端末装置４ａに交換希望情報を登録する（Ｓ０１）。無線機能付き携帯端末装置４ａがアクセスポイント３に近づき、ＥＳＳＩＤを受信し、待ち行列にならんだことを確認する（Ｓ０２）。無線機能付き携帯端末装置４ａは、アクセスポイントの近距離無線通信領域５にいる無線機能付き携帯端末装置４ｂに交換希望情報を自動配信する（Ｓ０３）。無線機能付き携帯端末装置４ｂでは、自らの予約交換処理部に登録されている交換希望情報と照合して条件が合わないとき、つまり交換したくないときは、何もしない（Ｓ０４）。無線機能付き携帯端末装置４ａは、無線機能付き携帯端末装置４ｂから応答がないと、更にほかの無線機能付き携帯端末装置４ｃに交換希望情報を自動配信する（Ｓ０５）。無線機能付き携帯端末装置４ｃで自らの予約交換処理部に登録されている交換希望情報と照合して条件が合うと、つまり交換したいときは（Ｓ０６）、無線機能付き携帯端末装置４ａに対して交換したい旨の予約情報を自動的に返信する（Ｓ０７）。
【００４４】
無線機能付き携帯端末装置４ａは、交換したい旨の予約情報を受信すると、データ出力部に出力する。そして、データ入力部に「交換する」という最終確認の入力があったことを確認すると、予約特権情報交換を行なう（Ｓ０８）。そして、交換したい旨の予約情報を自動的に返信してきた無線機能付き携帯端末装置４ｃに予約を交換したという結果、つまり交換成立情報である予約交換結果を自動送信する（Ｓ０９）。また、無線機能付き携帯端末装置４ａは、サーバ１に無線機能付き携帯端末装置４ｃに送信したのと同じ交換成立情報である予約交換結果を自動送信する（Ｓ１０）。そして、サーバ１は予約交換結果を登録する。
【００４５】
なお、上記では交換が成立するまで、アクセスポイントの近距離無線通信領域５にいる無線機能付き携帯端末装置の全てに交換希望情報を自動配信するとして説明した。しかし、データ入力部から交換希望情報を入力した無線機能付き携帯端末装置は交換を希望する無線機能付き携帯端末装置であるとして扱い、データ入力部から交換希望情報を入力しなかった無線機能付き携帯端末装置は交換を希望しない無線機能付き携帯端末装置であるとして区別して扱ってもよい。両者を区別することにより、交換を希望する無線機能付き携帯端末装置についてのみ交換希望情報を自動配信することができる。
【００４６】
図７に、無線機能付き携帯端末装置４ａの交換判断動作の詳細をフローチャートとして示す。無線機能付き携帯端末装置４ａで、アクセスポイントの近距離無線通信領域５にいる他の無線機能付き携帯端末装置に交換希望情報の自動配信を開始する（Ｓ２１）。無線機能付き携帯端末装置４ａは、交換したい旨の予約情報を受信すると（Ｓ２２）、入場時間、アトラクション施設の交換条件が合っているかをチェックする（Ｓ２３）。交換条件が合っていれば、一つの無線機能付き携帯端末装置から受信したのか、複数の無線機能付き携帯端末装置から受信したのかをチェックし（Ｓ２４）、複数の無線機能付き携帯端末装置から受信したのであれば、アクセスポイントに到着した順番などの予めつけられている優先順位に従ってどの無線機能付き携帯端末装置と交換するかを判断する（Ｓ２５）。そして、データ出力部に出力し、データ入力部に「交換する」という最終確認の入力がされると予約交換結果を送信する（Ｓ２６）。なお、ステップＳ２４で交換したい旨の予約情報を一つの無線機能付き携帯端末装置から受信していたときは（Ｓ２４のＮＯ）、データ出力部に出力し、データ入力部に「交換する」という最終確認の入力がされると予約交換結果を送信する（Ｓ２６）。また、ステップＳ２３で交換条件が合っていなければ、誤った交換予約情報であるとして判断を終了する（Ｓ２７）。
【００４７】
図８に一つのアクセスポイントの近距離無線通信領域５にいる他の無線機能付き携帯端末装置から受信した交換希望情報の内容を模式的に示す。図８では、縦軸にアトラクション名８０１を優先度順に示し、横軸に入場時間８０２を優先度順に示した一覧表として、交換したい旨の予約情報を返信してきた無線機能付き携帯端末装置名を示している。例えば、１０時００分からの入場時間については、観覧車のアトラクションと交換したい旨の予約情報を無線機能付き携帯端末装置Ｂと無線機能付き携帯端末装置Ｈが送信してきたことを示している。この場合のように、交換可能な無線機能付き携帯端末装置が複数存在するときは、アクセスポイントの近距離無線通信領域５に入った順番に、先着の無線機能付き携帯端末装置と交換処理を行なうようにしている。
【００４８】
図９に、予約特権情報の交換を持ちかけられる側の無線機能付き携帯端末装置に登録した内容の他の例を示している。図９では、アトラクション名９０１と交換希望時間９０２をワンセットにして登録してあるが、具体的にどのアトラクションと交換することについては登録していない。ファストパス情報を入手したものの、欲しい人はどうぞという交換の仕方をするときは、このように提供可能なアトラクション名と交換希望時間をワンセットにして登録しておけばよい。
【００４９】
以上説明したように、本発明によれば、携帯端末システムとして、これまで交換することができなかったフアストパス情報、つまり予約特権情報を一つのアクセスポイントの近距離無線通信領域内に入った無線機能付き携帯端末装置間で、容易かつ相手の顔を見ることなく交換することができる。そして、他の無線機能付き携帯端末装置が入手した予約特権情報を自分の予約特権情報に交換したことをセンタ装置に通知して、お互いの顔を見ずに予約特権情報の交換作業を完了することができる。
【産業上の利用可能性】
【００５０】
本発明は、一つのアクセスポイントの近距離無線通信領域に複数の無線機能付き携帯端末装置が到着したとき、交換可能な予約特権情報を自動的に交換するシステムであり、大規模な遊園地でフアストパス情報のような予約特権情報を相手の顔を見ることなく交換することができる。このシステムは、大規模な遊園地以外に、例えば、自動車教習所の待合コーナーのようなそれほど広くない場所において、予約特権情報を入手した複数の無線機能付き携帯端末装置が到着したときに、自動車教習時間と乗車予定の教習車というワンセットの予約特権情報を相手の顔を見ることなく交換することができるシステムなどに応用することもできる。
【図面の簡単な説明】
【００５１】
【図１】本発明の実施の形態１の無線通信機能付き携帯端末システムのシステム図
【図２】本発明の実施の形態１の無線機能付き携帯端末装置と入力画面の表示内容を示す図
【図３】本発明の実施の形態１の無線通信機能付き携帯端末システムの部分システムを説明する図
【図４】本発明の実施の形態１の無線通信機能付き携帯端末システムの部分システムを説明する図
【図５】本発明の実施の形態１の無線通信機能付き携帯端末システムの部分システムを説明する図
【図６】本発明の実施の形態１の無線通信機能付き携帯端末システムの通信プロトコルを示す図
【図７】本発明の実施の形態１の無線機能付き携帯端末装置の交換判断動作を示すフローチャート
【図８】本発明の実施の形態1の無線機能付き携帯端末装置が受信した交換希望情報の内容を模式的に示す図
【図９】本発明の実施の形態１の無線通信機能付き携帯端末システムの携帯端末装置の交換希望情報の内容を示す図
【図１０】従来の遊園地内ナビゲーションシステムのシステム図
【符号の説明】
【００５２】
１    サーバ
３    アクセスポイント
４ａ，４ｂ，４ｃ，４ｄ    無線機能付き携帯端末装置
５    アクセスポイントの近距離無線通信領域
１２    データ蓄積部
１３    利用時間推定部
１４    経路検索部
１５    サーバ制御部
１６    サーバ用ネットワーク接続部
２２    端末制御部
２３    データ入力部
２４    データ出力部
２５    予約交換処理部
【図１】
2009146105.tif 000003
【図２】
2009146105.tif 000004
【図３】
2009146105.tif 000005
【図４】
2009146105.tif 000006
【図５】
2009146105.tif 000007
【図６】
2009146105.tif 000008
【図７】
2009146105.tif 000009
【図８】
2009146105.tif 000010
【図９】
2009146105.tif 000011
【図１０】
2009146105.tif 000012